(57)【要約】【課題】携帯通信装置において、画面に表示されるデータの表示範囲を変化させるときの操作性を向上させること。【解決手段】本発明の携帯通信装置は、少なくとも２種類のデータの相関関係を示す相関データを表示する表示部と、自装置の傾きを検知する検知部と、検知部によって検知された傾きに基づいて、表示部において所定時間後に表示させるべき相関データの表示範囲を予測する予測部と、予測部によって予測された表示範囲に基づいて、ネットワークを介して接続される外部装置から相関データを受信する受信部と、受信部によって受信された相関データを記憶する記憶部と、記憶部に記憶された相関データを読み出して、検知部によって検知された傾きに基づいて、表示部に表示される相関データの表示範囲を変化させるように制御する表示制御部とを備える。【選択図】図４
2014102738.tif 000002
【特許請求の範囲】
【請求項１】
少なくとも２種類のデータの相関関係を示す相関データを表示する表示部と、
自装置の傾きを検知する検知部と、
前記検知部によって検知された前記傾きに基づいて、前記表示部において所定時間後に表示させるべき前記相関データの表示範囲を予測する予測部と、
前記予測部によって予測された表示範囲に基づいて、ネットワークを介して接続される外部装置から前記相関データを受信する受信部と、
前記受信部によって受信された前記相関データを記憶する記憶部と、
前記記憶部に記憶された前記相関データを読み出して、前記検知部によって検知された前記傾きに基づいて、前記表示部に表示される前記相関データの表示範囲を変化させるように制御する表示制御部と
を備えることを特徴とする携帯通信装置。
【請求項２】
ユーザの操作を受け付ける操作部をさらに有し、
前記表示制御部は、前記表示部に表示される前記相関データの表示範囲を変化させているときの前記操作部へ受け付けられた操作に応じて、前記表示範囲の変化の挙動を異ならせるように制御することを特徴とする請求項１に記載の携帯通信装置。
【請求項３】
前記表示制御部による前記表示範囲の変化の挙動を異ならせる制御は、前記表示範囲の変化を停止させる制御であることを特徴とする請求項２に記載の携帯通信装置。
【請求項４】
前記受信部は、前記相関データを間引いて受信し、前記予測部によって予測された前記表示範囲が所定の条件を満たす場合には、予測された前記表示範囲の前記相関データのうち前記記憶部に記憶されている前記相関データ以外を受信することを特徴とする請求項１乃至請求項３のいずれかに記載の携帯通信装置。
【請求項５】
前記検知部は、さらに自装置の加速度を検知し、
前記検知部によって検知された前記傾きおよび加速度に基づいて、所定時間後に前記表示部に表示させるべき前記相関データの表示範囲を予測することを特徴とする請求項１乃至請求項４のいずれかに記載の携帯通信装置。
【請求項６】
コンピュータに、
自装置の傾きを検知する検知部によって検知された前記傾きに基づいて、少なくとも２種類のデータの相関関係を示す相関データを表示する表示部において所定時間後に表示させるべき前記相関データの表示範囲を予測するステップと、
予測された前記表示範囲に基づいて、ネットワークを介して接続される外部装置から前記相関データを受信するステップと、
受信された前記相関データを記憶部に記憶するステップと、
前記記憶部に記憶された前記相関データを読み出して、前記検知部によって検知された前記傾きに基づいて、前記表示部に表示される前記相関データの表示範囲を変化させるように制御するステップと
を実行させるためのプログラム。
【発明の詳細な説明】
【技術分野】
【０００１】
本発明は、携帯通信装置において表示される内容を制御する技術に関する。
【背景技術】
【０００２】
携帯通信装置においてトレンドデータ（例えば、外部測定器による測定結果を示すデータ）を表示させる技術がある。この技術においては、トレンドデータが記憶されている装置から通信回線を介して、携帯通信装置がそのトレンドデータを取得して携帯通信装置の画面に表示させる。携帯通信装置の画面サイズには制約があるために、トレンドデータの表示方法の改良がなされている（例えば、特許文献１）。
【先行技術文献】
【特許文献】
【０００３】
【特許文献１】特開２００６−９１６９５号公報
【発明の概要】
【発明が解決しようとする課題】
【０００４】
携帯通信装置のように小さい画面サイズである場合には、トレンドデータが表示される範囲も狭くなるため、操作者が表示させたいと考える範囲のトレンドデータが、画面にストレス無く表示できることが望ましい。
【０００５】
本発明は、携帯通信装置において、画面に表示されるデータの表示範囲を変化させるときの操作性を向上させることを目的とする。
【課題を解決するための手段】
【０００６】
本発明の一実施形態によると、少なくとも２種類のデータの相関関係を示す相関データを表示する表示部と、自装置の傾きを検知する検知部と、前記検知部によって検知された前記傾きに基づいて、前記表示部において所定時間後に表示させるべき前記相関データの表示範囲を予測する予測部と、前記予測部によって予測された表示範囲に基づいて、ネットワークを介して接続される外部装置から前記相関データを受信する受信部と、前記受信部によって受信された前記相関データを記憶する記憶部と、前記記憶部に記憶された前記相関データを読み出して、前記検知部によって検知された前記傾きに基づいて、前記表示部に表示される前記相関データの表示範囲を変化させるように制御する表示制御部とを備えることを特徴とする携帯通信装置が提供される。
【０００７】
また、別の好ましい態様において、ユーザの操作を受け付ける操作部をさらに有し、前記表示制御部は、前記表示部に表示される前記相関データの表示範囲を変化させているときの前記操作部へ受け付けられた操作に応じて、前記表示範囲の変化の挙動を異ならせるように制御してもよい。
【０００８】
また、別の好ましい態様において、前記表示制御部による前記表示範囲の変化の挙動を異ならせる制御は、前記表示範囲の変化を停止させる制御であってもよい。
【０００９】
また、別の好ましい態様において、前記受信部は、前記相関データを間引いて受信し、前記予測部によって予測された前記表示範囲が所定の条件を満たす場合には、予測された前記表示範囲の前記相関データのうち前記記憶部に記憶されている前記相関データ以外を受信してもよい。
【００１０】
また、別の好ましい態様において、前記検知部は、さらに自装置の加速度を検知し、前記検知部によって検知された前記傾きおよび加速度に基づいて、所定時間後に前記表示部に表示させるべき前記相関データの表示範囲を予測してもよい。
【００１１】
また、本発明の一実施形態によると、コンピュータに、自装置の傾きを検知する検知部によって検知された前記傾きに基づいて、少なくとも２種類のデータの相関関係を示す相関データを表示する表示部において所定時間後に表示させるべき前記相関データの表示範囲を予測するステップと、予測された前記表示範囲に基づいて、ネットワークを介して接続される外部装置から前記相関データを受信するステップと、受信された前記相関データを記憶部に記憶するステップと、前記記憶部に記憶された前記相関データを読み出して、前記検知部によって検知された前記傾きに基づいて、前記表示部に表示される前記相関データの表示範囲を変化させるように制御するステップとを実行させるためのプログラムが提供される。
【発明の効果】
【００１２】
本発明によれば、携帯通信装置において、画面に表示されるデータの表示範囲を変化させるときの操作性を向上させることができる。
【図面の簡単な説明】
【００１３】
【図１】本発明の第１実施形態に係る通信システム１０００の構成を説明する図である。
【図２】本発明の第１実施形態に係る携帯通信装置１の外観および動作の概要を説明する図である。
【図３】本発明の第１実施形態に係るトレンドデータについて説明する図である。
【図４】本発明の第１実施形態に係る携帯通信装置１の構成を説明する機能ブロック図である。
【図５】本発明の第１実施形態に係る移動係数αと回転角ＲＴとの関係を説明する図である。
【発明を実施するための形態】
【００１４】
以下、本発明の一実施形態に係る携帯通信装置について、図面を参照しながら詳細に説明する。なお、以下に示す実施形態は本発明の実施形態の一例であって、本発明はこれらの実施形態に限定されるものではない。
【００１５】
＜第１実施形態＞
本発明の一実施形態に係る携帯通信装置について、図面を参照しながら詳細に説明する。
【００１６】
［通信システム１０００の構成］
図１は、本発明の第１実施形態に係る通信システム１０００の構成を説明する図である。通信システム１０００は、携帯通信装置１、サーバ５および測定器７を有している。携帯通信装置１とサーバ５とは、通信回線等のネットワークＮＷを介して接続されている。また、サーバ５と測定器７とについても、ネットワークＮＷを介して接続されている。サーバ５には、測定器７によって測定された所定の特性値の時間変化を示すトレンドデータが記憶されている。このトレンドデータは、測定器７からネットワークＮＷを介してサーバ５に受信される。
【００１７】
携帯通信装置１は、この例ではスマートフォンであるものとするが、ネットワークＮＷに接続可能な通信装置であって、携帯して傾けることが可能な装置であればよい。携帯通信装置１は、ネットワークＮＷを介してサーバ５に記憶されたトレンドデータを受信し、表示する機能を有している。
【００１８】
図２は、本発明の第１実施形態に係る携帯通信装置１の外観および動作の概要を説明する図である。携帯通信装置１は、筐体１０の一方の面側に設けられた表示部２０を有している。表示部２０は、その表示内容がＣＰＵによって制御される。
【００１９】
表示部２０の表面側には操作部３０が設けられている。操作部３０は、例えば、タッチセンサであり、操作者によって受け付けられた操作を示す信号を図示しないＣＰＵに出力する。なお、操作部３０は、タッチパネルではなく、操作キーなどであってもよい。
【００２０】
表示部２０には、トレンドデータＴＤが表示される。所定の時間範囲のトレンドデータＤＡは、データ表示領域ＤＡ上に表示される。データ表示領域ＤＡは、例えば、図２（ａ）に示すように、巻物状に表示されているが、トレンドデータＴＤを表示する範囲を規定する領域であれば、どのような形状であってもよい。なお、巻物状などの表示とすることで、後に説明するトレンドデータＴＤの時間範囲を変化させるときの操作において、操作感覚と時間範囲の変化の感覚とが一致しやすくなり、操作者による操作性および視認性が向上する。
【００２１】
図２（ｂ）は、図２（ａ）に示す矢印Ｂの方向に携帯通信装置１を見た図である。また、図２（ａ）の「Ｒ」および「Ｌ」は、操作者が表示部２０の正面側から見たときの携帯通信装置１の位置を便宜的に「右」、「左」として表すものである。以下の説明において、携帯通信装置１の「右」、「左」は、図２に示す「Ｒ」、「Ｌ」に対応する方向を示すものとする。
【００２２】
図２（ｂ）に示すように、操作者が携帯通信装置１を水平に保っている状態から右側を下げるように傾けると、図２（ａ）に示す矢印Ｆの方向にトレンドデータＴＤの表示が移動する。すなわち、表示されるトレンドデータＴＤの時間範囲が過去に向かって変化していく。一方、操作者が携帯通信装置１の左側を下げるように傾けると、表示されるトレンドデータＴＤの時間範囲が未来に向かって変化していく。これらの変化速度は、傾ける量に応じて変化する。
【００２３】
トレンドデータは、上述した通り、測定器７において得られたデータであり、サーバ５に記憶されている。
【００２４】
図３は、本発明の第１実施形態に係るトレンドデータについて説明する図である。図３に示すように、トレンドデータは、測定時刻「ｔｉｍｅ」と特性値「ｖａｌｕｅ」との相関関係を示すデータとして、サーバ５に記憶されている。例えば、「２０１２年１０月１８日１９時１６分」に測定された特性値は「３５．１」である。
【００２５】
［携帯通信装置１の構成］
図４は、本発明の第１実施形態に係る携帯通信装置１の構成を説明する機能ブロック図である。携帯通信装置１は、検知部１１、予測部１２、要求部１３、受信部１４、記憶部１５、表示制御部１６、表示部２０および操作部３０を有する。携帯通信装置１は、外部装置から取得するなどしてインストールされたプログラムをＣＰＵが実行することにより、これらの各機能が実現される。一部の機能についてはハードウエアにより実現されてもよい。
【００２６】
検知部１１は、ジャイロセンサまたは加速度センサなどによって、携帯通信装置１の傾きを検知する。
【００２７】
予測部１２は、検知部１１により検知された傾きを取得し、取得した傾きに基づいて、所定時間後に表示部２０に表示されるべきトレンドデータＴＤの時間範囲を予測する。例えば、図３に示す例において、表示部２０に現在表示されている時間範囲を現在範囲ＰＡとすると、予測部１２は、傾きに基づいて、所定時間（例えば、Δｔ＝０．５秒）後に表示される時間範囲を予測範囲ＥＡとして予測する。図３の例では、図２に示すように携帯通信装置１の右側を下げた場合の予測範囲ＥＡを示している。なお、予測部１２は、時間範囲を予測できればよいため、一度に表示部２０に表示できるトレンドデータの時間範囲が決まっていれば、例えば、予測範囲ＥＡの中心時刻を予測するようにしてもよい。
【００２８】
予測部１２は、例えば、以下の式に示すようにして予測範囲ＥＡを予測する。
Ｔｅａ＝Ｔｐａ＋α×Δｔ
ここで、Ｔｅａは予測範囲ＥＡの中心時刻、Ｔｐａは現在範囲ＰＡの中心時刻、移動係数αは携帯通信装置１の傾き（携帯通信装置１を水平状態から左側を下げる方向に回転する場合を正とする回転角ＲＴ）に応じた値、Δｔは上述した所定時間に対応する。
【００２９】
図５は、本発明の第１実施形態に係る移動係数αと回転角ＲＴとの関係を説明する図である。この例では、移動係数αは、回転角ＲＴが０°からＰＲ（例えば４５°）までは大きくなり、回転角ＲＴがＰＲにおいて最大値ＰＬとなり、回転角ＲＴがＰＲから９０°までは小さくなり、所定値に漸近するように決められている。携帯通信装置１の右側を下げる場合、すなわち回転角ＲＴが負に０°から−９０°まで（３６０°から２７０°まで）の場合には、図５に示す移動係数αの正負を反転した関係にある。また、残りの９０°から２７０°については、例えば、９０°のときの移動係数αが維持されてもよいし、１８０°のときに移動係数αの絶対値が最も小さくなるようにしてもよい。
【００３０】
なお、回転角ＲＴと移動係数αとの関係は、一例であり、例えば、単に携帯通信装置１の傾きが大きくなるほど、移動係数αの絶対値が大きくなるようにしてもよい。ただし、上述のように、±９０°未満の回転角ＲＡにおいて移動係数αの絶対値が最大になるようにすることで、操作者による操作性がより向上する。
【００３１】
また、移動係数αが回転角ＲＴに応じて変化するのではなく、携帯通信装置１を傾けるときの傾きの変化速度または変化加速度に応じて変化するようにしてもよい。また、回転角ＲＴ、傾きの変化速度および変化加速度の２種類以上に応じて、移動係数αが変化するようにしてもよい。
【００３２】
図４に戻って説明を続ける。要求部１３は、予測部１２により予測された結果（予測範囲ＥＡ）に基づいて、サーバ５に対して、トレンドデータの要求を送信する。図３に示す例では、現在範囲ＰＡから予測範囲ＥＡまでの間、すなわち、要求部１３は、読出範囲ＲＡのトレンドデータを要求する。
【００３３】
このとき、要求部１３は、上述した所定時間後に予測範囲ＥＡのトレンドデータの少なくとも一部の受信が完了しているように、読出範囲ＲＡのトレンドデータのデータ量、およびサーバ５との通信速度に応じて、トレンドデータを間引いて送信するように要求する。送信されるトレンドデータは、均等に間引かれてもよいし、予測範囲ＥＡに近いほど間引き量を少なくしてもよい。
【００３４】
この通信速度は、サーバ５と携帯通信装置１との間の通信経路における通信規格に応じて決められてもよいし、この通信経路における通信の速度を測定して得られた結果を用いてもよい。通信規格に応じて決定する場合には、マージンを考慮して理論通信速度の１／１０を通信速度として扱ってもよい。なお、トレンドデータを間引いて送信する必要がない程度に、予測範囲ＥＡから決まる読出範囲ＲＡのデータ量に対して通信速度が確保されているという条件を満たす場合には、要求部１３は、トレンドデータを間引かずに送信するようにサーバ５に要求する。
【００３５】
サーバ５は、要求部１３からの要求に応じて、トレンドデータを携帯通信装置１に送信する。なお、間引いたトレンドデータの送信が完了した場合には、サーバ５は、間引いたトレンドデータの送信完了後、次にトレンドデータの送信を要求されるまでの間に、要求された時間範囲のトレンドデータのうち残りのトレンドデータ（間引かれた未送信のトレンドデータ）を送信するようにしてもよい。
【００３６】
また、サーバ５は、トレンドデータの送信ログを記録しておき、所定時間内に既に送信したトレンドデータについては、後述のように受信部１４に受信されて記憶部１５に既に記憶されているものとして、要求部１３からの要求にかかわらず送信しないようにしてもよい。例えば、予測部１２によって予測された次の所定時間後の予測範囲ＥＡが、現在範囲ＰＡに近づくなどして、読出範囲ＲＡに含まれた場合には、既に記憶部１５において大部分のトレンドデータがバッファされている。そのため、サーバ５は、読出範囲ＲＡに含まれるトレンドデータのうち、送信済みのトレンドデータの再送信はせずに、まだ送信していないトレンドデータ（間引かれたトレンドデータなど）を送信する。
【００３７】
なお、送信ログの記録はサーバ５において行う場合にかぎらず、携帯通信装置１において行なってもよい。この場合には、要求部１３は、送信ログに基づいてサーバ５から受信したいトレンドデータを要求するようにすればよい。
【００３８】
受信部１４は、サーバ５から送信されたトレンドデータを受信し、記憶部１５に記憶（バッファ）する。なお、記憶部１５はＦＩＦＯ（First-In First-Out）方式でトレンドデータを記憶する。
【００３９】
表示制御部１６は、検知部１１により検知された傾きを取得し、取得した傾きに基づいて、表示部２０に表示されるトレンドデータの時間範囲を決定する。表示制御部１５によって決定される時間範囲は、予測部１２により予測される時間範囲と対応している。すなわち、表示制御部１６は、予測部１２において予測された予測範囲ＥＡが所定時間（上記例ではΔｔ＝０．５秒）後に表示部２０に表示されるように制御する。
【００４０】
表示制御部１６は、記憶部１５に記憶されているトレンドデータのうち、決定した時間範囲のトレンドデータを読み出して、表示部２０に表示させる。記憶部１５に記憶されているトレンドデータが、決定した時間範囲の全てのデータではない場合、表示部２０に表示されるトレンドデータも間引かれた表示となる。一方、受信部１４によって間引かれた部分のトレンドデータが順次受信され、記憶部１５に記憶されると、表示制御部１６は間引かれた部分のトレンドデータを表示部２０に表示していく。
【００４１】
このようにして、表示制御部１６は、検知部１１により検知された傾きに基づいて、表示部２０に表示されるトレンドデータの時間範囲を変化させるように制御する。
【００４２】
なお、表示制御部１６は、操作部３０に操作者からの操作（例えば、図２に示すデータ表示領域ＤＡの部分をタッチする操作）が受け付けられると、表示制御部１６は、表示部２０に表示されているトレンドデータの時間範囲を変化させている途中であっても、その変化を停止させてもよい。この場合には、予測部１２は、現在範囲ＰＡと同じ範囲を予測範囲ＥＡとして予測するように処理する。これにより、その範囲のトレンドデータのうち、間引かれていたトレンドデータがサーバ５から受信され記憶部１５に記憶されていく。そして、表示制御部１６は、表示部２０に表示されているトレンドデータが間引かれた表示から間引かれていない表示に変化させていく。
【００４３】
この場合、操作部３０において操作者から所定の操作を受け付けると、元の表示制御、すなわち携帯通信装置１の傾きにより、表示制御部１６が表示部２０に表示されるトレンドデータの時間範囲を変更する制御となる。
【００４４】
このように、本発明の第１実施形態に係る携帯通信装置１においては、画面に表示されるトレンドデータの時間範囲を変化させるときに、操作者は、変化させたい方向に応じて携帯通信装置１を傾ければよい。このとき、所定時間後に表示される時間範囲を予測してサーバ５からトレンドデータを受信しておき、また、受信すべきトレンドデータが通信速度に比べて多いときには間引いて受信する。そのため、画面に表示されるトレンドデータの時間範囲が変化しているときにも、その変化が大きく遅れたりすることを抑制して、操作者の傾ける操作に追従した表示の変化を実現できる。これにより、操作者による携帯通信装置１の操作性が向上する。
【００４５】
＜第２実施形態＞
上述した第１実施形態においては、表示されるトレンドデータは、携帯通信装置１の傾きに応じて変化していたが、第２実施形態においては、さらに携帯通信装置１を振るなどの加速度を与えることにより、異なる態様で変化するようにした構成である。
【００４６】
この場合には、検知部１１は、携帯通信装置１の傾きだけではなく、加速度についても検知する。予測部１２は、検出部１１によって検知された傾きと加速度とに基づいて、予測範囲ＥＡを予測する。予測部１２は、例えば、以下の式に示すようにして予測範囲ＥＡを予測する。
Ｔｅａ＝Ｔｐａ＋（α＋β）×Δｔ
ここで移動係数βは携帯通信装置１の加速度（携帯通信装置１の右側に向かう方向を正とする加速度）に応じた値である。具体的には、予測部１２が前回予測したときから今回予測するまでの間の加速度の絶対値の最大値が大きいほど、移動係数βの絶対値は大きな値となる。ここで、加速度が正の値であれば、移動係数βも正の値であり、加速度が負の値であれば、移動係数βも負の値である。
【００４７】
このようにすると、操作者は、携帯通信装置１を傾けたり振ったりすることにより、表示部２０に表示されるトレンドデータの時間範囲を変化させることができる。また、例えば、移動係数βの大きさの変化範囲を、移動係数αの大きさの変化範囲より例えば１桁大きくしたり、小さくしたりして設定することで、傾きまたは振る動作のいずれかで、トレンドデータの時間範囲の変化を微調整するようにすることもできる。
【００４８】
＜変形例＞
以上、本発明の実施形態およびその実施例について説明したが、本発明は以下のように、様々な態様で実施可能である。
【００４９】
［変形例１］
上述した実施形態において、表示部２０には所定の特性値の時間変化を示すトレンドデータが表示されていた。そのため、上述した実施形態では横軸には時刻のデータが割り当てられ、縦軸には特性値のデータが割り当てられて表示されていたが、別のデータが割り当てられていてもよい。例えば、横軸が縦軸とは異なるデータが割り当てられていればよい。すなわち、サーバ５に記憶され、携帯通信装置１において受信して表示されるデータは、少なくとも２種類のデータの相関関係を示す相関データであればよい。このように、少なくとも縦軸、横軸など２軸のそれぞれに割り当て可能な２種類のデータの関係を示す相関データであればよい。この場合には、携帯通信装置１を傾けるなどの操作により、相関データの表示範囲が変化する。なお、トレンドデータは、相関データの一態様である。
【００５０】
また、上述した実施形態では、携帯通信装置１を傾けることにより横軸方向のデータの表示範囲が変化するように動作していたが、傾ける方向により縦軸方向のデータの表示範囲が変化するようにしてもよい。例えば、携帯通信装置１を左右に傾けた場合には、横軸方向のデータの表示範囲が変化し、奥側または手前側に傾けた場合（左右方向を軸に回転させる場合）には、縦軸方向のデータの表示範囲が変化するようにすればよい。このような動作態様は、データが散布図のようにして表示される場合に有効である。
【００５１】
［変形例２］
上述した実施形態においては、トレンドデータは、サーバ５に記憶されていたが、測定器７に記憶されるようにしてもよい。この場合、携帯通信装置１は、測定器７からトレンドデータを受信するようにすればよい。
【００５２】
［変形例３］
上述した実施形態における携帯通信装置１を傾ける方向と、表示されるトレンドデータの時間範囲が変化する方向との関係が、逆であってもよい。例えば、実施形態では携帯通信装置１の右側を下げると、表示されるトレンドデータの時間範囲が過去に変化していくように動作したが、未来に変化するように動作してもよい。
【００５３】
［変形例４］
上述した実施形態では、携帯通信装置１を傾けたときの傾きの大きさは、携帯通信装置１の表示面が水平になっている場合を基準として決められていたが、水平以外の別の状態を基準としてもよい。この場合には、例えば、携帯通信装置１は、操作者による所定の操作を受け付けた場合に、そのときの状態を基準として、傾きの大きさが決まるようにすればよい。
【００５４】
［変形例５］
上述した実施形態においては、表示部２０に表示されているトレンドデータの時間範囲を変化させている途中で、操作者による操作（例えば、データ表示領域ＤＡの部分をタッチ）により、その変化を停止させていたが、停止させる場合に限られず、変化の挙動が異なるようになればよい。例えば、操作者によりタッチされている間、時間範囲の変化速度を減速するなどしてもよいし、タッチしている時間が長いと徐々に減速して停止するようにしてもよい。
【００５５】
また、操作者がタッチしたままスライドする操作をすることにより、表示される時間範囲がスライド方向に応じて強制的に変化するようにしてもよい。
【符号の説明】
【００５６】
１…携帯通信装置、５…サーバ、７…測定器、１０…筐体、１１…検知部、１２…予測部、１３…要求部、１４…受信部、１５…記憶部、１６…表示制御部、２０…表示部、３０…タッチパネル、１０００…通信システム
【図１】
2014102738.tif 000003
【図２】
2014102738.tif 000004
【図３】
2014102738.tif 000005
【図４】
2014102738.tif 000006
【図５】
2014102738.tif 000007